(57)【要約】      （修正有）【課題】低音効果及び音響効果の良いスピーカーを提供する。【解決手段】本反射式スピーカー１は、エンクロージャー１０、スピーカーユニット２、導音部３、振動体４を有する。前記スピーカーユニットが発する後方への音波を、音響室の内部、導音部の外部から導音部の内部へと伝え、振動体を押し動かし、その振動により対応する音を発する構造により、音響室内の定在波を減少させることができ、より良い音色を得ることが可能となる。更に、後方への音波を伝える距離を長くすることで、低音域を伸ばす効果があり、振動体を押し動かす力を増加させることが可能となる。【選択図】図１
0003170085.tif 000002
【実用新案登録請求の範囲】
【請求項１】
反射式スピーカーであって、
第一出口を有する第一外殻及び少なくとも１つの第二出口を有する第二外殻からなるエンクロージャーと、
前記第一外殻と結合され、前記第一出口に隣接するスピーカーユニットと、
互いに結合される第一底壁及び第一側壁から構成される第一導音体と、互いに結合される第二底壁及び第二側壁から構成される第二導音体からなる少なくとも１つの導音部と、
前記第二底壁と結合され、前記第二出口に隣接する少なくとも１つの振動体と、
を備え、前記第二底壁は開口部と、前記第二側壁の内部に繋がる貫通孔を備え、前記第二側壁の直径は前記第一側壁より小さく、前記第一側壁は前記第二側壁の外周に設置され、前記第一側壁の他端は前記第二底壁と接触しておらず、前記第二側壁の他端は前記第一側壁に接触しておらず、
前記振動体は前記第二底壁と結合することで前記開口部を閉じており、前記第二底壁は前記第二外殻と結合され、前記第二出口と隣接しており、
前記エンクロージャーは前記スピーカーユニット、前記導音部及び前記振動体を結合し、その内部に密閉された音響室を形成し、
前記スピーカーユニットは前方への音波と後方への音波を発し、前記前方への音波は前記第一出口から前記第一外殻の外部へと伝わり、前記後方への音波は、前記音響室の内部、前記第一側壁の外部から前記第一側壁の内側、前記第二側壁を迂回し、前記第二側壁の内部へ伝わり、更に前記貫通孔を通り、前記振動体を押し動かし、その振動により対応する音を発し、発生した音は前記第二出口から前記第二外殻の外部へと伝わることを特徴とする反射式スピーカー。
【請求項２】
前記第二底壁は共振部を備え、前記共振部はそれぞれ前記貫通孔及び前記開口部と繋がっていることを特徴とする請求項１に記載の反射式スピーカー。
【請求項３】
前記共振部はラッパ型をしていることを特徴とする請求項２に記載の反射式スピーカー。
【請求項４】
前記第一側壁は前記第二側壁の外周に等間隔で設置されることを特徴とする請求項３に記載の反射式スピーカー。
【請求項５】
前記第一導音体は更に第三側壁を備え、
前記第二導音体は更に第四側壁を備え、
前記第二側壁の直径は前記第三側壁より小さく、前記第四側壁の直径は前記第一側壁より小さく、前記第三側壁より大きく、
前記第三側壁、前記第四側壁及び前記第一側壁はこの順番で前記第二側壁の外周に設置され、
前記第三側壁は前記第二底壁に接触しておらず、
前記第四側壁は前記第一底壁に接触しておらず、
前記後方への音波は前記第一側壁、前記第四側壁、前記第三側壁及び前記第二側壁を迂回し、前記第二側壁の内部へ伝わることを特徴とする請求項４に記載の反射式スピーカー。
【請求項６】
前記第三側壁、前記第四側壁及び前記第一側壁はこの順番で前記第二側壁の外周に等間隔で設置されることを特徴とする請求項５に記載の反射式スピーカー。
【請求項７】
前記第一底壁は、前記第二側壁及び前記第四側壁に最も近い箇所がそれぞれ前記第一出口の方向に突き出た円弧状になっていることを特徴とする請求項６に記載の反射式スピーカー。
【請求項８】
前記第二外殻は第二出口を備え、前記スピーカーユニット及び前記導音部は一列に並べられ、前記第一底壁は前記スピーカーユニットに結合されるか、或いは支持体によってエンクロージャーと結合されることを特徴とする請求項１乃至７のいずれか一項に記載の反射式スピーカー。
【請求項９】
前記第二外殻は２つの第二出口を備え、前記エンクロージャーは２つの導音部と結合され、前記スピーカーユニットは２つの前記導音部の間に設置され、前記第一導音体及び前記第一外殻は一体成型される、或いは前記第一外殻に結合されることを特徴とする請求項１乃至７のいずれか一項に記載の反射式スピーカー。
【考案の詳細な説明】
【技術分野】
【０００１】
本考案は、音響装置であるスピーカーに関し、特に、低音効果を増強できる反射式スピーカーに関する。
【背景技術】
【０００２】
米国特許第ＵＳ２００５０１９５９８７号公報には、エンクロージャーと、導音体及び少なくとも２つのスピーカーからなる音響システムが記載されている。前記スピーカーはエンクロージャーと同じ方向へ配置されるよう結合されており、それぞれ前方への音波と後方への音波を発する。導音体はエンクロージャーの内部に取り付けられ、前記スピーカーと結合される。前記スピーカーの後方への音波を音の出口へと伝えることで、低音効果を増強させる。
【０００３】
台湾特許第Ｍ３１３３９６号及びそれに対応する米国特許第ＵＳ２００８０１６９１５０号公報には、エンクロージャー及びスピーカーからなる反射式スピーカーが記載されている。前記エンクロージャーは第一外殻及び第二外殻を備え、前記第一外殻及び第二外殻は音響室を形成している。前記音響室は前記第一外殻から内側へ延伸してなる反射導音管と、前記第二外殻から内側へ延伸してなる導音体を備える。前記導音体は前記反射導音管の外周を囲むように設置され、前記反射導音管と一定の距離を有する。前記スピーカーは開口部が外側に向けられ前記エンクロージャーに収容され、音を発するのに使用される。
【先行技術文献】
【特許文献】
【０００４】
【特許文献１】米国特許第ＵＳ２００５０１９５９８７号公報
【特許文献２】台湾特許第Ｍ３１３３９６号
【特許文献３】米国特許第ＵＳ２００８０１６９１５０号公報
【考案の概要】
【考案が解決しようとする課題】
【０００５】
上述した従来の考案は、共に音の出口を備え、導音構造によりスピーカーの後方への音波を音の出口へと導いているが、後方への音波の推力を利用しスピーカーの音響効果を増幅するには至らない。
【０００６】
そこで、本考案は、低音効果及び音響効果の良いスピーカーを提供することを課題とする。
【課題を解決するための手段】
【０００７】
上記の課題を解決するための本考案の一つの特徴に従った反射式スピーカーは、エンクロージャー、スピーカーユニット、導音部、振動体、を有する。前記スピーカーユニットが発する後方への音波が導音部により伝わった後、振動体を押し動かし、その振動により対応する音を発する。
【０００８】
本考案の他の特徴に従った反射式スピーカーは、前記スピーカーユニットが発する後方への音波を、音響室の内部、導音部の外部から導音部の内部へと伝える構造により、音響室内の定在波を減少させることができ、より良い音色を得ることが可能となる。更に、後方への音波を伝える距離を長くすることで、低音域を伸ばす効果があり、振動体を押し動かす力を増加させることが可能となる。
【０００９】
本考案によれば、低音効果及び音響効果の良いスピーカーを提供できる。
【図面の簡単な説明】
【００１０】
【図１】本考案の実施例１に従った反射式スピーカーを示す説明図である。
【図２】本考案の実施例１に従った導音部を示す説明図である。
【図３】本考案の実施例２に従った反射式スピーカーを示す説明図である。
【図４】本考案の実施例２に従った導音部を示す説明図である。
【考案を実施するための形態】
【００１１】
添付の図面を参照しながら、本考案の実施例について以下に説明する。
【実施例１】
【００１２】
図１は本考案の実施例１に従った反射式スピーカーを示す説明図であり、図２は本考案の実施例１に従った導音部を示す説明図である。本実施例において、反射式スピーカー１は、エンクロージャー１０、スピーカーユニット２、導音部３及び振動体４、を備える。
【００１３】
エンクロージャー１０は第一外殻１１及び第二外殻１２の組み合わせからなる。第一外殻１１及び第二外殻１２はそれぞれ音の出口である第一出口１１１及び第二出口１２１を備える。エンクロージャー１０はスピーカーユニット２、導音部３及び振動体４を結合し、その内部に密閉された音響室１３を形成する。
【００１４】
スピーカーユニット２は第一外殻１１と結合され、第一出口１１１に隣接して設置される。スピーカーユニット２は、矢印２１が示す方向に前方への音波を、矢印２２が示す方向に後方への音波を発する。スピーカーユニット２が発する前方への音波は第一出口１１１から第一外殻１１の外部へと伝わり、後方への音波は音響室１３内部へ伝わる。
【００１５】
導音部３は第一導音体３１及び第二導音体３２からなる。第一導音体３１は第一底壁３１１、第一側壁３１２及び第三側壁３１３からなる。第一側壁３１２及び第三側壁３１３の一端はそれぞれ第一底壁３１１と結合される。第二導音体３２は第二底壁３２１、第二側壁３２２及び第四側壁３２３からなる。第二側壁３２２及び第四側壁３２３の一端はそれぞれ第二底壁３２１と結合される。第二底壁３２１の中間には第二側壁３２２の内部に繋がる貫通孔３２４を備える。第二側壁３２２の直径は第三側壁３１３より小さく、第四側壁３２３の直径は第一側壁３１２より小さく、第三側壁３１３より大きい。第三側壁３１３、第四側壁３２３及び第一側壁３１２はこの順番で第二側壁３２２の外周に等間隔で設置される。第一側壁３１２及び第三側壁３１３の他端は第二底壁３２１とは接触しておらず、第二側壁３２２及び第四側壁３２３の他端は第一底壁３１１とは接触していない。
【００１６】
第一底壁３１１は、第二側壁３２２及び第四側壁３２３に最も近い箇所がそれぞれ第一出口１１１の方向に突き出た円弧状になっている。第一底壁３１１はスピーカーユニット２に結合されるか、或いは支持体によってエンクロージャー１０と結合される。第二底壁３２１はラッパ型の共振部３２５及び開口部３２６を備え、共振部３２５は貫通孔３２４及び開口部３２６と繋がっている。
【００１７】
振動体４は第二出口１２１に隣接しており、第二底壁３２１と結合され、開口部３２６を閉じている。第二底壁３２１は第二出口１２１に隣接しており、第二外殻１２と結合される。
【００１８】
スピーカーユニット２が発する後方への音波は、音響室１３の内部、第一側壁３１２の外部から、第一側壁３１２の内側、第四側壁３２３、第三側壁３１３及び第二側壁３２２を迂回し、第二側壁３２２の内部へ伝わる。更に貫通孔３２４及び共振部３２５を通り、振動体４を押し動かし、その振動により対応する音を発する。発生した音は第二出口１２１から第二外殻１２の外部へと伝わる。
【００１９】
本実施例において、スピーカーユニット２と導音部３は一列に並べられるため、左右の幅が狭く前後が長いエンクロージャー１０に適する。
【実施例２】
【００２０】
図３は本考案の実施例２に従った反射式スピーカーを示す説明図であり、図４は本考案の実施例２に従った導音部を示す説明図である。本実施例において、反射式スピーカー５は、エンクロージャー６、スピーカーユニット２、２つの導音部７及び２つの振動体４、を備える。
【００２１】
エンクロージャー６は第一外殻６１及び第二外殻６２の組み合わせからなる。第一外殻６１は音の出口である第一出口６１１を備え、第二外殻１２は音の出口である第二出口６２１を２つ備える。エンクロージャー６はスピーカーユニット２、２つの導音部７及び２つの振動体４を結合し、その内部に密閉された音響室６３を形成する。
【００２２】
スピーカーユニット２は第一外殻６１と結合され、第一出口６１１に隣接して設置される。スピーカーユニット２は、矢印２１が示す方向に前方への音波を、矢印２２が示す方向に後方への音波を発する。スピーカーユニット２が発する前方への音波は第一出口６１１から第一外殻６１の外部へと伝わり、後方への音波は音響室６３内部へ伝わる。
【００２３】
導音部７は第一導音体７１及び第二導音体３２からなる。第一導音体７１は第一底壁７１１、第一側壁７１２及び第三側壁７１３からなる。第一側壁７１２及び第三側壁７１３の一端はそれぞれ第一底壁７１１と結合される。本実施例の第一導音体７１は第一外殻６１と一体成型される、或いは第一外殻６１と結合される。第二導音体３２の構造は実施例１の通りです。第二側壁３２２の直径は第三側壁７１３より小さく、第四側壁３２３の直径は第一側壁７１２より小さく、第三側壁７１３より大きい。第三側壁７１３、第四側壁３２３及び第一側壁７１２はこの順番で第二側壁３２２の外周に等間隔で設置される。第一側壁７１２及び第三側壁７１３の他端は第二底壁３２１とは接触しておらず、第二側壁３２２及び第四側壁３２３の他端は第一底壁７１１とは接触していない。
【００２４】
本実施例の第一底壁７１１もまた、第二側壁３２２及び第四側壁３２３に最も近い箇所がそれぞれ第一出口６１１の方向に突き出た円弧状になってもよい。
【００２５】
本実施例の振動体４及び第二底壁３２１の構造は実施例１の通りである。第二底壁３２１は第二出口６２１に隣接しており、第二外殻６２と結合される。
【００２６】
本実施例において、スピーカーユニット２が発する後方への音波は、音響室６３の内部、第一側壁７１２の外部から、第一側壁７１２の内側、第四側壁３２３、第三側壁７１３及び第二側壁３２２を迂回し、第二側壁３２２の内部へ伝わる。更に貫通孔３２４及び共振部３２５を通り、振動体４を押し動かし、その振動により対応する音を発する。発生した音は第二出口６２１から第二外殻６２の外部へと伝わる。
【００２７】
本実施例のスピーカーユニット２は２つの導音部７の間に等間隔で設置されるため、左右の幅が広く前後が短いエンクロージャー６に適する。
【００２８】
本考案の反射式スピーカーは、導音部と振動体を結合させることで、スピーカーユニットが発する後方への音波が導音部により伝わった後、振動体を押し動かし、その振動により対応する音を発する。これにより、より良い低音効果が得られる。
【００２９】
本考案の反射式スピーカーは、スピーカーユニットが発する後方への音波を、音響室の内部、導音部の外部から導音部の内部へと伝える構造により、音響室内の定在波を減少させることができ、より良い音色を得ることが可能となる。更に、後方への音波を伝える距離を長くすることで、低音域を伸ばす効果があり、振動体を押し動かす力を増加させることが可能となる。これにより、より良い音響効果が得られる。
【００３０】
上述において、本考案の説明の利便性のために最良の実施例を挙げて説明したが、これらの実施例は本考案の請求の範囲を限定するものではなく、本考案に基づく本考案の要旨を逸脱しないあらゆる変更は本考案の特許請求の範囲に含まれる。
【符号の説明】
【００３１】
１、５      反射式スピーカー
１０、６      エンクロージャー
１１、６１      第一外殻
１１１、６１１      第一出口
１２、６２      第二外殻
１２１、６２１      第二出口
１３、６３      音響室
２      スピーカーユニット
２１、２２      矢印
３、７      導音部
３１、７１      第一導音体
３１１、７１１      第一底壁
３１２、７１２      第一側壁
３１３、７１３      第三側壁
３２      第二導音体
３２１      第二底壁
３２２      第二側壁
３２３      第四側壁
３２４      貫通孔
３２５      共振部
３２６      開口部
４      振動体
【図１】
0003170085.tif 000003
【図２】
0003170085.tif 000004
【図３】
0003170085.tif 000005
【図４】
0003170085.tif 000006